(57)【特許請求の範囲】
【請求項１】
安全ドアのロックの掛け外しに使用する為の上記のドアをロックする第１位置と、上記のドアのロックを解除する第２位置との間の予め定められた距離だけ動くことの出来るロックバーと、
その各々がロックされた位置とロックを解除された位置との間の設定された距離だけ動くことの出来るロックアームを持つ３つの互いに間隔を隔てたロックと、
上記のロックの第１のロックのロックアームに片側端で、又他端で上記のロックの第２のロックのロックアームに接続された第１リンクと、
片側端で上記の第１リンクに、又他端で上記のロックの第３のロックのロックアームに接続されている第２リンクと、
上記の第２リンクを上記のロックバーに第１位置に於いて接続する為の接続手段とから成り、しかも上記の第１及び第２リンクは上記の３つのロックの任意の２つのロックアームが上記のロックされた位置から上記のロックを解除された位置に移行した場合に、上記のロックバーは上記の接続手段が上記の第１位置に在る時に、上記の第１位置から上記の第２位置に移行する如くそのサイズを定められている複数ロック機構。
【請求項２】
接続手段が第２位置に於いて上記の第２リンクを上記のロックバーに接続する為の手段を有し、かつ、上記のロックの内の第１及び第２のロックのロックアームが上記のロックされた位置から上記のロックされぬ位置に移動する時、または上記のロックの内の第３のロックのロックアームが上記のロックされた位置から上記のロックされぬ位置に移動する時に、
上記のロックバーは上記の第１位置から上記の第２位置に移動する請求項１に記載の複数ロック機構。
【請求項３】
ドアのロックを掛け外しする為の上記のドアをロックする第１位置と上記のドアのロックを外す第２位置との間の予め定められた距離だけ動くことの出来るロックバーと、
その各々がロックされた位置とロックを外された位置との間の設定された距離だけ動くことの出来るロックアームを持つ３つの間隔を隔てたロックと、
上記のロックの第１のロックのロックアームに片側端に於いて接続され、かつ、他端に於いて上記のロックの第２のロックのロックアームに於いて接続されている第１リンクと、
片側端で上記の第１リンクに接続され、かつ、他端で上記のロックの第３のロックのロックアームに接続されている第２リンクと、
第１位置に於いて上記の第２リンクを上記のロックバーに接続する為の接続手段とから成り、
しかも上記の第１及び第２リンクは、上記の接続手段が上記の第１位置に在る時に、上記のロックの内の第１及び第２のロックアームの何れかの移動、または上記のロックの第３のロックアームの移動により、上記のロックバーが上記の第１位置から上記の第２位置に移動するようそのサイズを定められている複数ロック機構。
【請求項４】
上記の接続手段は上記の第２リンクを上記のロックバーに第２位置に於いて接続する為の手段を有し、かつ、上記の第１及び第２のリンクは、上記の接続手段が上記の第２位置に在る時に、上記の３つのロックアームの何れか２つが上記のロックの掛かった位置から上記のロックを外された位置に移動することにより、上記のロックバーが上記の第１位置から上記の第２位置に移動するようそのサイズが定められている請求項３に記載の複数ロック機構。
【請求項５】
安全ドアのロック掛け外しに使用する為の複数ロック機構であって、
ロックされた位置とロックを外された位置との間の予め定められた距離だけ動くことの出来るロックバーと、
その各々がロックされた位置とロックを外された位置との間の予め定められた位置だけ動くことの出来るロックアームを持つ、少なくとも３つの互いに間隔を隔てたロックと、
上記のロックアームを上記のロックバーに接続する為のリンク機構から成り、
上記のリンク機構は、第１作動形態において、ロックアームに取付け可能であって、上記のロックの任意の２つのロックアームが上記のロックされた位置から上記のロックを解除された位置に移動することにより、上記のリンク機構が上記のロックバーを上記のロックの外れた位置に移し、
また、上記のリンク機構は、第２作動形態において、ロックアームに取付け可能であって、第１及び第２のロックのロックアームが上記のロックされた位置から上記のロックを解除された位置への移動により、または上記のロックの第３のロックのロックアームが上記のロックされた位置から上記のロックを解除された位置への移動により、上記のロックバーを上記のロックの外れた位置に移す複数ロック機構。
【請求項６】
上記のリンク機構が、該リンク機構の多数の構成要素及び上記の構成要素の中の選ばれた構成要素同士を接続する締結具を有し、
しかも構成要素同士を接続する第１固定位置を持つ上記の締結具は、上記の第１作動形態での上記のリンク機構の構成要素の上記の選ばれたものを接続し、
かつ、第２固定位置は上記の第２作動形態の上記のリンク機構の構成要素の上記の選ばれたものを接続する請求項５に記載の複数ロック機構。
【請求項７】
安全ドアのロックの掛け外しに使用する為の上記のドアをロックする第１位置と上記のドアのロックの解除の為の第２位置との間の予め定められた距離だけ動くことの出来るロックコンポネントと、
その各々がロックされた位置とロックを外された位置との間の特定の距離だけ動くことの出来るロックアームを持つ３つの互いに間隔を隔てたロックと、
上記のロックアームの各々の運動に応答して上記のロックコンポネントを動かす為、上記のロックを上記のロックコンポネントに接続する為のリンク機構；しかも上記のリンク機構は相対運動の為のピンにより相互接続されている多数のリンク機構要素から成り、しかも上記のリンク機構は第１ピン位置と第２ピン位置を持ち、かつ、この場合接続ピンが上記の第１ピン位置に在る時上記のリンク機構は第１作動形態を持ち、かつ、上記の接続ピンが上記の第２ピン位置に在る時には上記のリンク機構は第２作動形態を持ち、上記の第１作動形態位置に在る時に上記の３つのロックの任意の２つの持つロックアームが上記のロックされた位置から上記のロックを外された位置に移動した場合に、上記のリンク機構が上記のロックコンポネントを上記の第２位置に動かし、又上記の第２作動形態に在る時に上記に３つのロックの特定の２つのロックアームが動いた時、又は上記の３つのロックの残りのものの持つロックアームが動いた時に、上記のリンク機構が上記のロックコンポネントを上記の第２位置に動かすが如き複数ロック機構。
【請求項８】
上記のリンク機構は、一端で上記の３つのロックの第１のロックが持つロックアームに、又他端で上記の３つのロックの第２のロックが持つロックアームに接続されている第１リンクと、
一端で上記の第１リンクに接続され、かつ、他端で上記のロックの第３のロックが持つロックアームに接続されている第２リンクから成り、しかも上記の接続ピンは上記の第２リンクを上記のロックコンポネントに接続する請求項７に記載の複数ロック機構。
【請求項９】
上記のリンク機構が、
上記の３つのロックの第１のロックのロックアームと第２のロックのロックアームをピボット状に接続する接続プレートと、
第１の固定軸心の周りにピボット可能で、しかも上記の接続プレートにともなって動くようにピボット状に接続された一端と上記の一端の運動によって上記の第１の固定軸心の周りに動くことの出来る他端を持つ第１レバーと、
第２固定軸軸心の周りにピボット可能で、しかも上記の３つのロックの第３のロックのロックアームにともなって動くようにピボット状に接続された一端と上記の一端の運動によって動くことの出来る他端を持つ第２レバーと、
上記の第１レバーの上記の他端にピボット状に接続することの出来る第１端を持ち、上記の第２レバーの他端に上記の接続ピンにより接続することの出来る第２端を持つリンクと、
を備えた請求項７に記載の複数ロック機構。
【発明の詳細な説明】
【０００１】
【産業上の利用分野】
本発明は施錠機構、特に金庫室ドアに用いる為の複数ロック機構に関するものである。
【０００２】
【従来の技術】
金庫室は、金、書類及び有価物を安全に保管する為に、一般に銀行及び金融機関に用いられる。多くの金庫室ドアは、通常２つのロックを持つ施錠機構を有しかつ、この機構は、一つのロック或は両者のロックが解除される時に開くように設計されることが出来る。ロックの一つを解除することにより開くことの出来るダブルロック機構は、一つのロックが故障した時に金庫室に他のロックを用いることにより入ることが出来る追加的な利便性を供与する。
【０００３】
また、４つのロックを含むロッキング機構を持つ金庫室ドアも又公知である。かかる４ロック機構は、一般に連邦準備銀行に於いて保安性を高める為に一般に用いられている。かかる４ロック機構は、何れか２つのロックを解除することにより金庫室ドアを開くことの出来るように機械的に設計されている。かかる機構の場合に４つのロックの一つ又は２つが故障した場合にも金庫室は、開くことが出来る。何故ならば残りの２つのロックが開かれることが出来るからである。
【０００４】
【発明が解決しようとする課題】
しかし上記のうち２つのロックを持つ施錠機構を有する機構は、金庫室の中に部外者の入ることに関して単一ロックの場合よりも保安性を高めるものではない。ロック機構を解除する為に両者のロックが解除されることを必要とするダブルロック機構は、上記の単一ロック方式にはない追加の保安性を保障するが、ロックの一つが故障した場合に金庫室への立ち入りが不能となる問題を生じる。この為に両者のロックが解除されねばならぬダブルロッキング機構を用いるドアは、ロックの故障の際にも立ち入ることの出来る金庫室にある不便で容易には接近出来ぬセクションに小さい非常出入り開口（非常ドア）を持つ。これから判る如くこの機能は金庫室の保安性を低下させる。
【０００５】
また４ロック機構の抱える問題の一つは、それが複雑で高価につくことである。別の問題は、機構が多様性に欠けることである。何故ならばロックは金庫室ドアを開く為に唯一つの方法でしか機能せぬからである。
【０００６】
更に上記のロック機構の何れもが金庫室に入る為に金庫室ドア上の２つの別個のロックを解除する（出来れば２人により別々に）ことが必要であるが、しかし同時に従業員又は管理者の如き単独の人物が単一ロックを解除することにより金庫室に立ち入ることを許すダブルロック機構を持つことが保安上望ましい場合に使用し得るものではない。
【０００７】
本発明は、これらの及びその他の問題を克服し、かつ、安全ドアの為の３ロック機構を提供するが、このロック機構は、ロックの何れか２つの解除により機構が解除される第１の作動形態と、機構を解除するには３つのロックの内の特定の２つのロックが解除されねばならず、しかも残りのロックはマスタロックであり、それ単独で機構のロックを解除することが出来るような第２の作動形態を持つ。
【０００８】
【課題を解決するための手段】
本発明によればドアをロックする第１の位置とドアのロックを解除する第２の位置との間の予め定められた距離だけ動くことの出来るロックバーと、３つの互いに間隔を隔てたロックから成る保安ドアのロックのかけ外しの為のロック機構が使用される。各ロックは、ロックされた位置とロックが解除された位置との間の設定された距離を動くことの出来るロックアームを有する。第１リンクは、第１ロックのロックアームに片側端で接続され、かつ、他端で第２ロックのロックアームに接続されている。第２リンクは、片側端で第１リンクに接続され、かつ、他端に於いて第３ロックのロックアームに接続され、かつ、第２リンクをロックバーに接続する為の手段が用いられている。第１及び第２リンクは、３つのロックの何れか２つのロックアームがロックされた位置からロックの解除された位置へ移動することによりロックバーが第１位置から第２位置に移動するようなサイズを持つ。
【０００９】
本発明の別の特徴によれば、ドアをロックする第１の位置とドアのロックを解除する第２の位置との間の予め定められた距離だけ動くことの出来るロックバーと、３つの互いに間隔を隔てたロックから成る保安ドアのロックのかけ外しの為のロック機構が使用される。各ロックは、ロックされた位置とロックが解除された位置との間の設定された距離を動くことの出来るロックアームを有する。第１リンクは、第１ロックのロックアームに片側端で接続され、かつ、他端で第２ロックのロックアームに接続されている。接続手段は、第２リンクをロックバーに接続する為のものである。接続手段並びに第１及び第２リンクは、予め定められた一対のロックのロックアームの移動により上記のロックバーが第１位置から第２位置に移り、又予め定められた第３ロックのロックアームの移動によりロックバーが第１位置から第２位置に移るが如くサイズを定められている。
【００１０】
本発明の別の特徴によれば、ドアをロックする第１の位置とドアのロックを解除する第２の位置との間の予め定められた距離だけ動くことの出来るロックバーと、３つの互いに間隔を隔てたロックから成る保安ドアのロックのかけ外しの為のロック機構に使用される。各ロックは、ロックされた位置とロックを解除された位置との間の予め定められた距離を動くことの出来るロックアームを含む。リンク機構は、ロックアームをロックバーに接続し、しかもロック機構は第１作動形態と第２作動形態を持つ。第１作動形態に於いては、何れか２つのロックのロックアームが移動することによりロックバーはロックを解除された位置に移る。その第２作動形態に於いては、予め定められた対のロックのロックアームの移動により、又は第３の予め定められたロックのロックアームの移動によりロックバーはロックを外された位置に移る。
【００１１】
発明の別の特徴によれば、保安ドアのロックのかけ外しの為に使用されるロック機構が設けられる。ロック機構は、ドアにロックをかける第１の位置とドアのロックを外す第２の位置との間で予め定められた距離だけ動くことの出来るロックコンポネントから成る。ロックの各々は、ロックされた位置とロックを外された位置との間の特定の距離を動くことの出来るロックアームを持つ。リンク機構は、ロックをロックコンポネントに接続することによりロックアームの各々の動作に応じてロックコンポネントを動かす。リンク機構は、多数のメンバから成り、かつ、これらは相対運動の為にピンにより相互に接続される。リンク機構は、第１ピン位置と第２ピン位置を持ち、かつ、この場合に接続ピンが第１ピン位置に在る時にはリンク機構は第１作動形態を持ち、又接続ピンが第２ピン位置に在る時にはリンク機構は第２作動形態を持つ。第１作動形態に於いて３つの内の何れか２つのロックのロックアームがロックのかかった位置からロックの外れた位置に動くことによりリンク機構はロックコンポネントを第２位置に移し、又第２作動形態に於いては３つのロック内の特定の２つのロックのロックが残りのロックのロックアームの移動の為に移動した場合にリンク機構はロックコンポネントを第２位置に移す。
【００１２】
本発明の目的は、公知の方法に於ける問題を解消し、かつ、多重ロック機構を提供することに在り、かつ、この機構は最大の保安の保障すると同時にロックの一つが故障しても金庫室に入ることを可能にするものである。
【００１３】
本発明の目的は、金庫室のドアの安全を保障する為のロック機構を提供することにあり、かつ、このロック機構は多数の相互接続されたロックを含む。
本発明の別の目的は、３つのロックを持つ上記のロック機構を提供することであり、かつ、この機構は２つの作動形態を識別する為にかつ、迅速に改変されることが出来る。
【００１４】
発明の別の目的は、第１作動形態に於いて３つのロックの何れか２つのロックを解除することによりロック機構は開くが如き上記のロック機構を提供することに在る。
【００１５】
発明の更に別の目的は、第２作動形態に於いて２つの特定のロックを解除するか又は第３のロックのみを解除することによりロック機構が開くが如きロック機構を提供することに在る。
【００１６】
本発明の更に別の目的は、ロックの一つの故障の場合にも解除することの出来る上記のロック機構を提供することに在る。
本発明の別の目的は、高度の安全性を提供する上述のロック機構を提供することに在る。
【００１７】
本発明の別の目的は、割安に作ることが可能であり、かつ、第１又は第２作動形態に迅速かつ、容易に改変することの出来るロック機構を提供することに在る。
【００１８】
上記の及びその他の目的及び利点は、添付の図面と共に発明の好ましい実施例の下記の記述から明らかである。
【００１９】
【作用】
このロック機構は、上記構成により、ロックの何れか２つの解除により機構が解除される第１の作動形態と、機構を解除するには３つのロックの内の特定の２つのロックが解除されるか、残りのロックは単独で機構のロックを解除することが出来るような第２の作動形態を持つ。
【００２０】
【実施例】
図面は、発明の好ましい実施例を図示する目的を持ち、この実施例に限定することを目的としない図面であって、このうち、図１は本発明による複数ロック機構２０を用いる金庫室ドア１０の正面斜視図である。ドア１０は、金庫室の壁１６の中に公知の方法で形成され、又は形に嵌め込まれているドアフレーム１４に対してヒンジ１２により取り付けられている。ハンドル１８が詳述される如く、金庫室ドア１０を開く（即ち、解除する）為にロック機構２０と共に設けられている。
【００２１】
次に図２によれば、ドア１０の内部構成部品がドア１０の後ろ、又は背面から見た位置で示されている。ドア１０は、ロック機構の基板２２を有し、かつ、これにロック機構２０が取り付けられている。ロッキングカム２４がハンドル１８に取り付けられ、それと共に回転する。ロッキングカム２４は、ロック機構２０と作動し得る状態で係合する為に第１アーム２４ａを、又金庫室部材３０に接続されている第２アーム２４ｂを有する。金庫室部材３０は、連結板３２を有し、かつ、この連結板は一端でロッキングカム２４のアーム２４ｂにピン結合され、かつ、他端に於いてかんぬき体３４にピン結合されている。多数のロッキングボルト３６は、かんぬき体３４の片側から金庫室ドア１０の内側端に沿って設けられた補強ビーム３８を通って延びている。ドアフレーム１４の中に形成された多数の凹部がロッキングボルト３６と整合する位置に在って金庫室のドア１０がロックされた位置にある時にボルトはその中に嵌入する。一対のブラケット４２がかんぬき体３４の他の側から延びる。各ブラケット４２は、長孔４４を持ち、かつ、これはピン又はボルトの嵌入し得る寸法である。長孔４４は、一般にロッキングボルト３６の軸に平行に走行する軸線に沿ってかんぬき体３４が容易に動き得るようにロックバー３６の軸心に平行に設けられている。ガイドロッド４８がブラケット４２の片側端に機械的に取り付けられ、かつ、ブラケット４２から第２ブラケット５０の開口を通って延びている。リミットスイッチ５２，５４が設けられることにより該当のドアコンポネントの動作及び／又は相対位置を監視することが出来る。
【００２２】
上記のコンポネントは、類似の装備で多くの金庫室ドアに於いて通常見い出されるものであり、又それら自体本発明の一部を構成するものではない。それらは、本発明がそれと共に用いられる典型的な金庫室又は金庫のコンポネントを図示する為に図示されている。
【００２３】
次に図３に於いてロック機構２０が最も良く分かる。ロック機構２０は、図に於いて７０Ａ，７０Ｂ及び７０Ｃの記号を持つ３つの互いに間隔を隔てたロックを以って構成される。示された実施例に於いてロック７０Ａ，７０Ｂ及び７０Ｃは、一般に同じものであり、機械的コンビネーションロックの名で呼ばれ、かつ、その各々は金庫室ドア１０の正面に夫々数字ダイアル７２を備える（図１に於いて最も良く見える）。各ロック７０Ａ，７０Ｂ，７０Ｃは、ロックハウジング７４及びそれから延びるロックアーム７６を持つ。各ロックアーム７６は、引き出された位置（図３に最も良く示されている）と、後退した位置（図６〜１４に於いて最も良く示されている）の間で動くことが出来る。示された実施例に於いてロック７０Ａ，７０Ｂ，７０Ｃは、ロックアーム７６の全体が互いに平行で、かつ、同じ方向を向くような形で、全体として三角状に配置されている。延長アーム７８は、側方に延びるブラケットを把持し、延長アーム７８の長孔８４を通って延びるガイドピン８２により基板２２に取り付けられている。長孔８４は、延長アーム７８がロック７０Ａ，７０Ｂ，７０Ｃのロックアーム７６の運動の方向に全体として平行な方向に動くことを可能にするように芯出しされている。既存の締結具８６がロック７０Ｂのロックアーム７６を延長アーム７８のブラケット７８ａに固定する。この点に関してロック７０Ｂのロックアーム７６の運動は、ブラケットの、従って延長アーム７８の直接運動に変換される。図３に於いて最も良く示される如く延長アーム７８は、図に７８ｂの記号で示されている自由端を備えており、かつ、この自由端は一般にロック７０Ａと７０Ｃのロックアーム７６に一般に整合している。延長アーム７８の自由端７８ｂは、延長アーム７８の全体平面からは偏移しており、又図５に於いて最も良く示されている如くネジ付きのボス８８を含む。
【００２４】
ロックバーブラケット９０が図４に示される如く既存の締結具により基板２２に固定されている。ブラケット９０は、中心が芯出しされ全体がＵ形の溝９２をその中に形成される如く成型されている。溝９２と基板２２の平面とは、ロックバー９４を受け入れるような寸法を持つ全体が矩型の通路を構成し、かつ、この場合にロックバー９４は矩形通路９２の中を摺動することが出来る。ブラケット９０は、ロックバー９４がロック７０Ａ，７０Ｂ，７０Ｃのロックアーム７６の運動の方向に平行な方向に動くことが可能であり、又ロックバー９４の片側端がロックキングカム２４と作動し得る状態で係合するような位置に在る。溝９２の一部がブラケット９０から切除されることによりロックバー９４を露出し、かつ、ロックバー９４にコネクタプレート９６を締結具９８によって取り付けることを可能にする（図４に仮想線で示されている）。コネクタプレート９６の両端に９６ａ，９６ｂの２つの開口が形成されることにより、第１リンク機構アタッチメント位置（開口９６ａに於いて）及び第２リンク機構開口位置（開口９６ｂに於いて）を後述の如く限定する。
【００２５】
ロック７０Ａ，７０Ｃのロックアーム及び延長ロックアーム７８を互いに、かつ、ロックバー９４に接続する為にリンク機構１００が設けられる。リンク機構１００は、一般に第１リンク１０２及び第２リンク１０４から成る。図３及び図４に最も良く示されているように、リンク１０２は、ロック７０Ａのロックアーム７６を延長アーム７８の自由端７８ｂに接続する。この為にリンク１０２は、片側端に於いてスロット１０２ａを、又他の端に円形開口１０２ｂ、更にスロット１０２ａと開口１０２ｂとの間にネジ孔１０２ｃを持つ。
【００２６】
第１タイプの締結具１１２は、スロット１０２ａを通って延び、かつ、図４に於いて最も良く示される如く第１リンク１０２をロック７０Ａのロックアーム７６に固定する。他の場所であるリンク機構１００に用いられているタイプの締結具１１２は、一般に６角頭部分１１２ａ、中間ネジ付き部分１１２ｂ、及びネジのない円柱部分１１２ｃから成る（図４の下部に最も良く示されている如く）。円柱部分１１２ｃは、ロック７０Ａのロックアーム７６に相対的な第１リンク１０２のピボット運動を容易にする為のピボット用支持面を備える。ソケットヘッド部１１４ａ、中間のネジのない円柱部１１４ｂおよびネジ端末部１１４ｃを持つ第２タイプの締結具１１４は、ネジ孔１０２ｂを通って延びることにより第１リンク１０２を延長アーム７８の自由端７８ｂに固定する。図４に示された如く第１リンク１０２は、ファスナ１１４を取り付ける為のネジ孔を持つ。
【００２７】
次に第２リンク１０４に於いて長孔１０４ａ，１０４ｂがその両端に形成される。１対の間隔を隔てた開口１０４ｃ，１０４ｄは、孔１０４ａ，１０４ｂの間のリンク１０４に形成される。開口１０４ｃ，１０４ｄの間の間隔は、開口１０４ｃ，１０４ｄが開口９６ａ，９６ｂに整合し得るようにコネクタプレート９６の中の開口９６ａ，９６ｂの間の間隔に等しくなっている。開口１０４ｃとコネクタプレート９６の中の芯出しされた開口９６ａは、図の中でＰ１の記号を持つ第１リンク取付け点を限定する。開口１０４ｄとコネクタプレート９６の芯出しされた開口９６ｂは、図に於いてＰ２の記号を持つ第２リンク機構取り付け点を限定する。締結具１１４は、第２リンク１０４をコネクタプレート９６に接続する為のものである。締結具１１４は、第１取付け点Ｐ１又は第２取付け点Ｐ２の何れかに位置を定めることが出来る。締結具１１４が第１取付け点に挿入される時にはロック機構２０に対して第１作動形態が確定される。締結具１１４が第２取付け点Ｐ２に挿入されるとロック機構２０に対して第２作動形態が確定される。
【００２８】
上記の第１作動形態（即ち、締結具１１４が取り付け点Ｐ１に在る時）に於いてロック機構２０は、３つのロック７０Ａ，７０Ｂ，７０Ｃの何れか２つの解除により金庫室ドア１０の開放又は解除が可能となる機能を持つ。上記の第２作動形態（即ち、締結具１１４が第２取り付け点Ｐ２に在る時）に於いてロック機構２０は、ロック７０Ａ，７０Ｂの開放により金庫室ドア１０の開放又は解除が可能となるか、又は上記の代わりにロック７０Ｃのみが解除されることにより金庫室ドア１０の開放又は解除が可能となるような機能を持つ。この後者の形態ではロック７０Ｃは、それ独自で金庫室のドアの開放を可能にするマスタロックとなる。
【００２９】
次に図６〜図１４には上記のロック機構の作動方式が図示されている。図６は、第１作動形態のロック機構１０（即ち、取り付け点Ｐ１の締結具１１４）を示す。図示された位置ではロック機構２０は、ドアをロックする位置に在るのに対し、ロック７０Ａ，７０Ｂ，７０Ｃのロックアーム７６は、ロックされた位置に延びる。この位置ではロックバー９４は、ロッキングカム２４のアーム２４ａの反時計方向の回転を阻止する。
【００３０】
正しい組み合わせが行われると、ロック７０Ａは、図７に示された如き開放位置（即ち、ロックアーム７６がその後退位置、図の左の方に動いた時に）に動かされることが出来る。ロック７０Ａのロックアーム７６に付随した第１リンク１０２の上端が左に動くことにより、第１リンク１０２は、軸支されている所を中心に下端の周りでピボット運動を行う。第１リンク１０２のピボット回転により第２リンク１０４の末端（第１リンク１０２にピン固定されている）は、ロック７０Ｃのロックアーム７６に取り付けられている他端を中心にピボット運動する。この動作により取り付け位置Ｐ１の第２リンク１０４に取り付けられているロックバー９４は、図７に示された如く予め定められた距離だけ左の方に動く。図７に示された如く、ロック７０Ａのロック解除により起きる第１リンク１０２自体の運動は、ロックバー９４をロッキングカム２４のアーム２４ａから外すには十分ではない。次に、ロック７０Ｂが正しく組み合わされると図８に示される如く該当のロックアーム７６が後退位置動くことにより延長アーム７８が左に移動し、この為に第１リンク１０２の下端はそれと共に動く。かかる動きにより第２リンク１０４の上端が更に左に移動し、従ってロックバー９４は、ロッキングカム２４のアーム２４ａから離れることになる。ロック７０Ａ及び７０Ｂが解除されるとロッキングカム２４が自由に回転し、従って連結板３２が動いてロッキングボルト３６をドアフレーム１４に於ける凹部から離し、かつ、金庫室ドア１０を解除する。
【００３１】
図９は、ロック７０Ａが解除された後（図７に示された如く）ロック７０Ｃが解除される状況を示す。図９に示されている如くロック７０Ｃのロックアーム７６が後退すると第２リンク１０４の下端が左に動き、従ってロックバー９４がロッキングカム２４のアーム２４ａから外れるのに充分な距離だけ移動し、かつ、この場合に金庫室ドアは再び解除されることが出来る。
【００３２】
図１０は、ロック７０Ｂが最初に解除され、リンク１０２の下端がそれと共に左に向かって動き、従って、第２リンク１０４（及びロックバー９４）の上端がロッキングカム２４のアーム２４ａに相対的に予め定められた距離だけ動く場合を示す。図１０から判る如くロック７０Ｂのみの解除によってはロックバー９４は、ロッキングカム２４がそれを超えて回転するのに充分な距離を動くことはない。図１１は、ロック７０Ｂが解除された後、ロック７０Ｃが解除される場合を図示される。ロック７０Ｃの解除の結果、リンク１０４の下端が左に動き、ロックバー９４をロッキングカム２４のアーム２４ａから外れるまで動かす為にドア１０は開くことが出来る。
【００３３】
図１２は、ロック７０Ｃが最初に解除されることにより、第２リンク１０４の下端が左に移動し、ロックバー９４をそれと共に予め定められた距離だけ移動させる場合を示す。この場合にもロック７０Ｃ単独のロックアーム７６の移動ではロッキングカム２４の第１アーム２４ａがロックバー９４から外れることはない。次に、ロック７０Ａが解除されると図９に示された状況が出現し、第１アーム２４ａはロックバー９４から外れ、かつ、金庫室ドア１０を解除する。同様に図１１は、最初にロック７０Ｃが解除された後にロック７０Ａの代りにロック７０Ｂが解除された場合を示す。この場合にもロックバー９４は、ロッキングカム２４のカムアーム２４ａが外れる為に金庫室ドア１０の解除が可能となる。
【００３４】
図６〜図１２は、従って第１作動形態のロック機構２０の作動を描き、かつ、３つのロック７０Ａ，７０Ｂ，７０Ｃの何れか２つが任意の順序で解除されることにより金庫室ドア１０が開かれる方法を示す。
【００３５】
図１３及び図１４によればロック機構２０は、締結具１１４を第２取り付け位置Ｐ２に持っている。図１３ではロック７０Ａ，７０Ｂ，７０Ｃがすべてロックされた位置に在り、同時にロックバー９４がロッキングカム２４の回転を阻止するロック機構２０の形態を示す。この形態ではロック７０Ｃのみの解除で図１４に示された如くロックバー９４がカム２４から外れることにより回転し、かつ、金庫室のドアを開くことが可能である。
【００３６】
更にロック７０Ａ，７０Ｂの解除によってもロックバー９４が動いてカム２４から外れることが出来る。この動作は基本的に図７及び８に示されている。これに関しては図から判る如くロック７０Ａ及び７０Ｂは、締結具１１４が取り付け位置Ｐ１又は取り付け位置Ｐ２の何れに在るかには関係なく、リンク１０２に同じ働きを及ぼす。従って、締結具１１４が第２取り付け位置Ｐ２に在る時にはロック７０Ａ及び７０Ｂが解除されるとロックバー９４が動くことによりロッキングカム２４が回転して金庫室ドア１０が開く。上記に代わり一つのロック、即ちロック７０Ｃをマスターロックと考え、これのみで金庫室ドア１０を開くことが出来る。
【００３７】
本発明は、従って一つの締結具の位置を変えることのみで容易に、かつ、迅速に２つの作動形態を一つにすることの出来るロック機構を提供する。一つの作動形態では３つのロックの内の何れか２つを解除することにより金庫室のドアを開くことが可能であり、又別の作動形態では金庫室ドアを開くには２つの特定の解除が解除されねばならぬか、又は第３のマスタロックのみを解除するだけでよい。
【００３８】
次に図１５〜図３０によれば、本発明の第２の実施例が示されている。図１５は、図１に示されたものとほぼ同様の金庫室ドア２１０を示す。この場合、金庫室ドア２１０は、既存の方法で適宜金庫室壁２１６の中に設けられ、又は嵌め込まれているドアフレーム２１４にヒンジ２１２を介して取り付けられている。ドアのロック機構を解除する為の回転ハンドル２５０が設けられている。１対のダイアル２２２，２２４が金庫室ドア２１０の表面に設けられる。示された実施例に於いては、ダイアル２２２は、ダブルアクション（２位置）ダイアルであり、その第１の後退位置は、図１５に示されており、第２の引き出された位置は同図に仮想線で示されている。表示される組み合わせの為の数値表示部２２６，２２８はダイアル２２２，２２４に隣接して夫々示されている。
【００３９】
次に図１６によれば金庫室ドア２１０の後ろ、又は背面から見た金庫室ドア２１０の内部コンポネントが示されている。
回転式の回転ハンドル２５０がドア２１０を通って延びているシャフト２５２に取り付けられている。フライホイール２６０が円筒状の中心ハブ２６２を持ち、かつ、このハブ２６２にシャフト２５２が通され、かつ、ハブ２６２に接続されることによりハブ２６２と共に回転する。円筒状の壁２６４がハブ２６２を取り巻き、かつ、ハブと共に円環状の窪みを限定する。上部プレート２６６及び下部プレート２６８が円筒壁２６４から延びている。下部プレート２６８は、１対の分散型のスロット２７２，２７４を持ち、かつ、これが締結具２７８により接続板２７６にフライホイール２６０を取付けている。次に、接続板２７６は、既存の締結具２８２により連結棒２８０に取り付けられている。連結棒２８０は、通常、金庫室ドア２１０の開放及び閉止の為のドアボルトロッキング装置（図示されず）に取り付けられている。締結具２８６は、それを通って延びている長孔２８４がプレート２７６及び連結棒２８０をドアボルトロッキング装置に一致させるのに役立っている。
【００４０】
フライホイール２６０の上部プレート２６６は、その中に弓形スロット２９０を設けられた扇型の平らな板体である。スロット２９０は、シャフト２５２の軸心に関して一般に対称的であり、かつ、放射方向に延びる凹部２９０ａ（図１７に最も良く示されている）を有している。上部プレート２６６は、ガイドブロック２９２をその上端に持つ。ガイドブロック２９２を通る円形の孔が円筒壁２６４を通る孔と同じサイズで軸心を共有することによりロックピン２９６がそれに挿入されることを可能にしている。ロックピン２９６は、図１９に最も良く示されている如く、その両端の間に連結部２９６ａを有する。円柱部３０２と弓形部３０４を持つフォロア３００がロックピン２９６への取り付けの為に用意されている。ロックピン２９６がフォロア３００の円柱体部分の穴を通って延び、かつ、図１９に最も良く示される如くロックピン２９６の連結部２９６ａに取り付けられている従来の固定ネジ３０６によりフォロアに固定されている。フォロア３００の弓形部３０４は、図１９に最も良く示される如く、上部プレート２６６に対面する如くその中に弓形スロット３１０が形成されている。フライホイール２６０の円筒壁２６４とフォロア３００の円柱部３０２との間に設けられたバイアスばね３１２がロッキングピン２９６を取り巻く。バイアスばね３１２は、フォロア３００（及びロックピン２９６）を図１６及び１９に示されているロッキング位置に付勢するのに用いられる。この位置に於いてはロックピン２９６の上部端がブラケット３２２に設けられたブロック３２０の中の穴の中に延びる。ブラケット３２２は、中央のＵ−形溝部３２２ａ並びに側方に延びるフレンジ部３２２ｂを含む。既存の締結具によりフレンジ部分３２２ｂが金庫室ドア２１０の内面に固定されており、かつ、この場合にＵ形溝部３２２ａがドア２１０の表面と共に一般に矩形の開口又は通路を形成する。作動バー３３０は、下部部分３５２と上部部分３５４を持つ段付きピン３５０を有する。ピン３５０の下部部分３５２は、その寸法をフライホイール２６０の上部プレート２６６の中の弓形スロット２９０及び凹部２９０ａに嵌入し得る如く定められている（図１８及び１９を参照）。補助取付ブロック３２６がブラケット３２２に取り付けられており、かつ、フライホイール２６０の時計方向の回転を限定する為に調節可能なストッパとしての取付ネジ３２８を有する。Ｕ形溝３２２ａに形成されたスロット３４２は、作動バー３３０をフライホイール２６０に芯出しする目的で作動バー３３０に取り付けられたピン３４４を受け入れるようにそのサイズが定められている。次に図１６ではロック機構４００を最も良く知ることが出来る。ロック機構４００は、図の中で４００Ａ，４００Ｂ及び４００Ｃの記号を持つ３つの間隔を隔てたロックを以って構成されている。図示された実施例に於てはロック４００Ａ，４００Ｂ及び４００Ｃは一般に同じであり、従来から機械的コンビネーションロックとして知られている。各ロック４００Ａ，４００Ｂ及び４００Ｃは、ロックハウジング４０２及びそれから延びるロックアーム４０４を持つ。各ロックアーム４０４は、図１６に示されている押し出されたロックのかかった位置と後退したロックの外された位置との間で動くことが出来る。示された実施例に於いてロック４００Ａ，４００Ｂ及び４００Ｃは、一般に三角形のパターンでロック４００Ａがロックピン２９６の一方の側に、又ロック４００Ｂ及び４００Ｃがロックピン２９６の反対の側に設けられている。複数のロックアーム４０４は全体的に平行であり、かつ、ロック４００Ａのロックアーム４０４はロック４００Ｂ及び４００Ｃのロックアーム４０４の延びている方向とは逆の方向に延びている。
【００４１】
リンク機構４１０がロック４００Ａ，４００Ｂ及び４００Ｃを互いに接続する。リンク機構４１０には接続プレート４１２、第１レバー４１４、第２レバー４１６及びリンク４１８を有する。接続プレート４１２は、ロック４００Ｂのロックアーム４０４をロック４００Ｃのロックアーム４０４に接続する。この点に関して詳述すれば接続プレート４１２の両端には長孔４２２が設けられていて、この中にピン４２４が挿入されることによりロックアーム４０４が接続プレート４１２に接続されている。
【００４２】
第１レバー４１４は、一般にＬ形であり、図の中の４３２の記号を持つ固定軸の周りでピボット運動を行い得る如く取り付けられている。第１レバー４１４の一端は、接続プレート４１２にピン４３４により固定されることにより一体的に運動する。第１レバー４１４の他端には、第１及び第２の間隔を隔てた開口４１４ａと４１４ｂが設けられており、次に詳述されている如く第１レバー４１４をリンク４１８に接続する為に使用される。
第２レバー４１６は、一般に第１レバー４１４に似ている。即ち、第２レバー４１６も又Ｌ形であり、図の４４２の記号を持つ固定軸心の周りにピボット運動を行い得る如く取り付けられている。第２レバー４１６の一端は、ロック４００Ａのロックアーム４０４にピン４４４により固定されている為に両者は一体的に運動する。第２レバー４１６の他端は、第１及び第２の間隔を隔てた開口４１６ａ及び４１６ｂを持ち、かつ、これらは第２レバー４１６をリンク４１８に接続するのに用いられる。
【００４３】
リンク４１８は、長軸方向に長いプレートであり、作動バー３３０にピン４４８によりピボット運動の可能な如く固定されている。４１８ａ，４１８ｂ，４１８ｃ及び４１８ｄの記号を持つ長孔がリンク４１８の対立する両端の中に設けられている上記の長孔４１８ａ，４１８ｂ，４１８ｃ及び４１８ｄは、第１レバー４１４に於ける開口４１４ａ及び４１４ｂ並びに第２レバー４１６の開口４１６ａ及び４１６ｂと一致し得る如く位置決めされている。即ち、一対のピン４５２がリンク４１８を第１及び第２レバー４１４，４１６に接続する。重要なことはピン４５２の位置如何により第１又は第２作動形態が決まることである。特に一つのピン４５２が第２レバー４１６の開口４１６ａの中に（即ちリンク４１８の長孔４１８ａを通って）又別のピン４５２が第１レバー４１４の開口４１４ｂに（即ちレバー４１８の長孔４１８ｃを通って）位置決めされている時には第１作動形態となる。図２２〜図２８は、第１作動形態に在る時のロック機構４００の動作を示すものである。開口４１６ａと又長孔４１８ａに在るピン４５２が開口４１６ｂ及び第２レバー４１６に（即ちリンク４１８の長孔４１８ｂを通って）移動する時にはロック機構は、図２９及び３０に示された如く第２作動形態を持つ。
【００４４】
図２２〜図３０にはロック機構４００の第１作動形態時の動作が図示されている。図２２は、ドアをロックする位置に在るロック機構４００を示し、かつ、この場合、ロック４００Ａ，４００Ｂ及び４００Ｃのロックアーム４０４はロックされた位置に引き出されている。この位置ではロックピン２９６は、ブロック３２０の中に延び、かつ、このブロックはフライホイール２６０が反時計方向に回転することを阻止する。
【００４５】
ロック４００Ｂのロックが解除された時に、ロック４００Ｂのロックアーム４０４は、図２３に示された位置に後退する。ロック４００Ｂのロックアーム４０４に接続された接続プレート４１２の上端は、右方に移動することにより図２３に示された軸心４３２の周りに第１レバーを反時計方向に僅かに回転させる。この運動は、リンク４１８の右側に下向きの力を作用させ、従って作動バー３３０の下向きの運動を起こさせる。
【００４６】
次に、図１９に於いて作動バー３３０が下方に向かって動く時、フォロワ３００の弓形スロット３１０の中に拘束されているピン３５０の上部部分３５４はフォロワ３００を下方に向ける。従って、フォロワ３００の下方の運動によりロックピン２９６はそれと共に動く。作動バー３３０が下方に動くことによりピン３５０の部分３５２は、凹部２９０ａから弓形スロット２９０に移動する。
【００４７】
次に図２４に於いて、ロック４００Ｃのロック解除により、そのロックアーム４０４は、図示の位置まで後退、かつ、この場合にプレート４１２のコネクタの下端は、右方に移動し、従って第１レバー４１４を軸心４３２の周りに反時計方向に回転させる。これにより作動バー３３０は更に下方に向かって動くことになる。即ち、ロック４００Ｂおよび４００Ｃの両ロックアーム４０４がロックを解除された位置に後退する時、作動バー３３０は下方に動くことによりロックピン２９６は、フォロワ３００を介してブロック３２０から均等かつ完全に後退する。言い換えれば、段付きピン３５０の上部部分３５４は、フォロワ３００の弓形スロット３１０に下向きの圧力を作用せしめ、フォロワ３００及びロックピン２９６をブロック３２０の円形穴から下向きに図１７に示された位置に動かす。この時フライホイール２６０は、オペレータが図１８に示された如く回転ハンドル２５０を回転する時にシャフト２５２の軸心の周りの放射方向の通路の中を自由に動くことが出来る。
【００４８】
図１８に於いてわかるように、段付きピン３５０の下部部分３５２は、プレート２６６の弓形スロット２９０を通って自由に動くことができ、又ピン３５０の上部部分３５４はフォロワ３００の弓形スロット３１０を通って動く。この構成によりフライホイール２６０は、シャフトの軸心２５２の周りに回転し得るのに対し、作動バー３３０は停止したままである。ロック機構４００が上述の如く第１作動形態に在る時、任意のロックアーム４０４のロックの掛かった位置から解除された位置への移動によって、作動バー３３０はロック解除された位置に移り、かつ、この場合に段付きピン３５０の下部部分３５２はスロット２９０に完全に移り、かつ、ロッキングピン２９６をブロック３２０の中の円形穴から外に外す。
【００４９】
図２５は、ロック４００Ａ及び４００Ｂのロックアーム４０４が後退した位置に在るロック機構４００を示す。図示された如くこの位置では作動バー３３０は、この場合も下方に動く為にロッキンピン２９６は再びブラケット３２２のブロック３２０から引き出される。
【００５０】
図２６及び２７は、夫々ロック４００Ｃのロックアーム４０４が先ず後退し、次にロック４００Ａのロックアーム４０４が後退する時のロック機構４００の関係位置を示す。この場合にもロッキングピン２９６がブロック３２０から引き出されることによりフライホイール２６０の回転を可能にする。
【００５１】
図２８は、ロック４００Ａがロック解除され、かつ、ロックアーム４０４がロックハウジング４０２の中に後退した時のロック機構４００の関係位置を示す。この時、ロック４００Ｂのロックが外された時にロック機構は図２５に示された位置に移る。上述の如くこの関係位置ではロッキングピン２９６は、ブロック３２０から引き抜かれ、かつ、フライホイール２６０は自由に回転することが出来る。
【００５２】
ロック４００Ａが先ず解除された後に（図２８）、ロック４００Ｃが解除された時には、ロック機構４００は図２７に示された位置に移る。この場合にもピン２９６は、ブロック３２０から引き抜かれ、かつ、フライホイール２６０は自由に回転し、かつ、金庫室ドア２１０を解除する。
【００５３】
図２２〜図２８に図示された如く３つのロック４００Ａ，４００Ｂ，４００Ｃの任意の２つの、任意の順序での解除により金庫室２１０の開放が可能となる。図２９及び図３０に於いてロック機構４００は第２作動形態で示されている。上述の如くロック機構４００は、ピン４５２を第２レバー４１６の中の開口４１６ａから開口４１６ｂ（即ち、レバー４１８の長孔４１８ｂを通って）に動かすことにより第１作動形態（図２２〜図２８に示された）から第２作動形態に変換することが出来る。図２９は、ロック機構４００を第２作動形態に於いて３つの全てのロック４００Ａ，４００Ｂ，４００Ｃをロックされた状態で示す。
【００５４】
この第２作動形態では、ロック４００Ａ単独が解除されたのみでフオロア３００が下方に移動し、かつ、この場合にピン２９６は図３０に示された如くブロック３２０から外れる。上記とは異なりこの第２作動形態では、２つの他のロック（即ちロック４００Ｂ及び４００Ｃ）も又金庫室ドア２１０を開くことが出来る。即ち、リンク４１８が第１及び第２作動形態の両者に於いて同じ方法で第１レバー４１４に接続されている為にロック４００Ｂ及び４００Ｃのロックアーム４０４が後退することにより図２４に示された通りの効果を作動バー３３０に及ぼす。この第２作動形態に於いてロック４００Ａは、マスタロックと考えることが可能であり、かつ、単独でも金庫室ドア２１０を開くことが出来る。
【００５５】
この様に本発明は、金庫室ドアに使用する為の３つのロック機構を提供するものであり、かつ、この機構は２つの作動形態の何れかで容易にかつ、迅速に設定されることが出来、しかもこの場合ある形態では３つのロックの任意の２つの解除により金庫室ドアを開くことが可能であり、又第２形態では２つの特定ロック又は残りの第３ロック単独が解除されることによって金庫室ドアの解除が可能である。図に示された構造に対する改変及び変更は、本明細書を読んだ後にはこの分野の熟練者にとっては明らかとなる。かかるあらゆる改変及び変更は請求された特許の範囲又は同等のものの範囲内に在る限り本発明に含められるものとす。
【００５６】
【発明の効果】
本発明は、上記構成により、第１作動形態に於いて３つのロックの何れか２つのロックを解除することによりロック機構は開くことができ、第２作動形態に於いて２つの特定のロックを解除するか又は第３のロックのみを解除することによりロック機構は開くことができる。このため、この機構は最大の安全を保障すると同時にロックの一つが故障しても金庫室に入ることを可能にするものである。
【００５７】
また、金庫室に入る為に金庫室ドア上の２つの別個のロックを解除する場合と、単一の人物が単一のマスタロックを解除することにより金庫室に立ち入ることを可能とする。
【００５８】
しかも、この機構は、割安に作ることが可能であり、第１作動形態と第２作動形態の２つの作動形態の切り換えを迅速に改変されることが出来る。
【図面の簡単な説明】
【図１】本発明の第１の実施例によるロック機構を有する金庫室ドアの正面の斜視図である。
【図２】図１の２−２線に沿った金庫室ドアの断面立面図である。
【図３】図２に示されたロック機構の拡大立面図である。
【図４】図３の４−４線の断面である。
【図５】図３の５−５線の断面である。
【図６】図３のロックリンクの拡大図で、その作動を図示する。
【図７】図３のロックリンクの拡大図で、その作動を図示する。
【図８】図３のロックリンクの拡大図で、その作動を図示する。
【図９】図３のロックリンクの拡大図で、その作動を図示する。
【図１０】図３のロックリンクの拡大図で、その作動を図示する。
【図１１】図３のロックリンクの拡大図で、その作動を図示する。
【図１２】図３のロックリンクの拡大図で、その作動を図示する。
【図１３】図３のロックリンクの拡大図で、その作動を図示する。
【図１４】図３のロックリンクの拡大図で、その作動を図示する。
【図１５】本発明の第２の実施例の金庫室ドアの斜視図である。
【図１６】図１５の１６−１６線に沿った図である。
【図１７】図１６の部分拡大図である。
【図１８】図１６の部分拡大図である。
【図１９】図１６の１６Ｄ−１６Ｄ線に沿った断面図である。
【図２０】図１６の１７−１７線に沿った断面図である。
【図２１】図１６の１８−１８線に沿った断面図である。
【図２２】図１６の拡大図で、ロック機構の第１作動形態の動作を示す。
【図２３】図１６の拡大図で、ロック機構の第１作動形態の動作を示す。
【図２４】図１６の拡大図で、ロック機構の第１作動形態の動作を示す。
【図２５】図１６の拡大図で、ロック機構の第１作動形態の動作を示す。
【図２６】図１６の拡大図で、ロック機構の第１作動形態の動作を示す。
【図２７】図１６の拡大図で、ロック機構の第１作動形態の動作を示す。
【図２８】図１６の拡大図で、ロック機構の第１作動形態の動作を示す。
【図２９】図１６の拡大図で、ロック機構の第２作動形態の動作を示す。
【図３０】図１６の拡大図で、ロック機構の第２作動形態の動作を示す。
【符号の説明】
１６        金庫室ドア
２０        ロック機構
７０Ａ〜Ｃ    ロック
７６        ロックアーム
９４        ロックバー
１００    リンク機構
１０２    第１リンク
１０４    第２リンク
１１４    接続手段
２１０    金庫室ドア
２５２    シャフト
２９６    ロックピン
４００    ロック機構
４００Ａ〜Ｃ    ロック
４０４    ロックアーム
４１０    リンク機構
４１２    接続プレート
４１４    第１レバー
４１６    第２レバー
４１８    リンク
４５２    ピン
【図１】
0003614204.tif 000002
【図２】
0003614204.tif 000003
【図３】
0003614204.tif 000004
【図４】
0003614204.tif 000005
【図５】
0003614204.tif 000006
【図６】
0003614204.tif 000007
【図７】
0003614204.tif 000008
【図８】
0003614204.tif 000009
【図９】
0003614204.tif 000010
【図１０】
0003614204.tif 000011
【図１１】
0003614204.tif 000012
【図１２】
0003614204.tif 000013
【図１３】
0003614204.tif 000014
【図１４】
0003614204.tif 000015
【図１５】
0003614204.tif 000016
【図１６】
0003614204.tif 000017
【図１７】
0003614204.tif 000018
【図１８】
0003614204.tif 000019
【図１９】
0003614204.tif 000020
【図２０】
0003614204.tif 000021
【図２１】
0003614204.tif 000022
【図２２】
0003614204.tif 000023
【図２３】
0003614204.tif 000024
【図２４】
0003614204.tif 000025
【図２５】
0003614204.tif 000026
【図２６】
0003614204.tif 000027
【図２７】
0003614204.tif 000028
【図２８】
0003614204.tif 000029
【図２９】
0003614204.tif 000030
【図３０】
0003614204.tif 000031